(57)【要約】  タッチセンサは、配置面を含む絶縁性の基材部と、基材部の配置面内に設けられた複数の導電細線と、基材部に当接してかつ複数の導電細線から絶縁された複数の独立細線とを備える。複数の独立細線は、複数の導電細線の欠落パターン部の近接した位置に配置されている。このタッチセンサでは、分離部は視認されにくい。
2018193891.tif 000002
【特許請求の範囲】
【請求項１】
第１の配置面を含む絶縁性の基材部と、
前記基材部の前記第１の配置面内に設けられた複数の導電細線と、
前記基材部に当接してかつ前記複数の導電細線から絶縁されて、複数の第１の独立細線を含む導電性を有する複数の独立細線と、
を備え、
前記第１の配置面は、前記複数の導電細線が配置されていない第１の分離部と、前記第１の分離部に面する第１の縁端線を有する第１の領域と、前記第１の分離部に面してかつ前記第１の分離部を介して前記第１の縁端線に対向する第２の縁端線を有する第２の領域とを有し、
前記複数の導電細線は、前記第１の領域に位置する複数の第１の導電細線と、前記第２の領域に位置する複数の第２の導電細線とを含み、
前記複数の第１の導電細線は、前記第１の縁端線に位置する複数の第１の端をそれぞれ有する複数の第１の縁端細線を含み、
前記複数の第２の導電細線は、前記第２の縁端線に位置する複数の第２の端をそれぞれ有する複数の第２の縁端細線を含み、
前記複数の第１の縁端細線の前記複数の第１の端から前記複数の第２の縁端細線の前記複数の第２の端までそれぞれ結ぶ直線である複数の第１の欠落パターン部を含み、
前記複数の第１の独立細線は、前記複数の第１の欠落パターン部に近接した位置に配置されている、タッチセンサ。
【請求項２】
前記複数の第１の独立細線は前記複数の第１の欠落パターン部にそれぞれ近接して前記複数の第１の欠落パターン部にそれぞれ平行に延びる、請求項１に記載のタッチセンサ。
【請求項３】
前記複数の第１の独立細線のそれぞれの中央位置は、前記複数の第１の欠落パターン部の中央位置を通る前記複数の第１の欠落パターン部のそれぞれの垂線上に位置する、請求項２に記載のタッチセンサ。
【請求項４】
前記複数の第１の独立細線は前記複数の第１の欠落パターン部よりも長い、請求項１から３のいずれか一項に記載のタッチセンサ。
【請求項５】
前記複数の第１の独立細線は前記複数の第１の欠落パターン部に対して１つの方向にそれぞれ位置する、請求項１から４のいずれか一項に記載のタッチセンサ。
【請求項６】
前記複数の導電細線は、前記基材部の前記第１の配置面内に複数のメッシュを有するようにネット状で配置され、
前記複数のメッシュは、前記第１の領域に位置する複数の第１のメッシュと、前記第２の領域に位置する複数の第２のメッシュと、前記第１の分離部に位置する複数の第３のメッシュとを含み、
前記複数の第１の導電細線は前記複数の第１のメッシュを画定しており、
前記複数の第２の導電細線は前記複数の第２のメッシュを画定しており、
前記複数の第１の縁端細線のうちの、前記複数の第１の独立細線のそれぞれの第１の独立細線に対応する第１の縁端細線と、前記複数の第２の縁端細線のうちの前記それぞれの第１の独立細線に対応する第２の縁端細線とは前記複数の第３のメッシュのうちの対応する第３のメッシュを画定し、
前記複数の第３のメッシュの複数の辺は前記複数の第１の欠落パターン部をそれぞれ含み、
前記複数の第３のメッシュの前記複数の辺のうちの前記対応する第３のメッシュの辺は前記複数の第１の欠落パターン部のうちの対応する第１の欠落パターン部を含み、
前記対応する第１の欠落パターン部は、前記複数の第１の縁端細線の前記複数の第１の端のうちの前記対応する第１の縁端細線の対応する第１の端から前記複数の第２の縁端細線の前記複数の第２の端のうちの前記対応する第２の縁端細線の対応する第２の端まで結び、
前記それぞれの第１の独立細線は、前記対応する第１の欠落パターン部に近接した位置に配置されている、請求項１に記載のタッチセンサ。
【請求項７】
前記それぞれの第１の独立細線は前記対応する第１の欠落パターン部に近接して前記対応する第１の欠落パターン部に平行に延びる、請求項６に記載のタッチセンサ。
【請求項８】
前記対応する第３のメッシュの前記辺と前記それぞれの第１の独立細線とは直線状に延びている、請求項７に記載のタッチセンサ。
【請求項９】
前記それぞれの第１の独立細線の中央位置は、前記対応する第１の欠落パターン部の中央位置を通る前記対応する第１の欠落パターン部の垂線上に位置する、請求項７または８に記載のタッチセンサ。
【請求項１０】
前記それぞれの第１の独立細線は前記対応する第１の欠落パターン部よりも長い、請求項７から９のいずれか一項に記載のタッチセンサ。
【請求項１１】
前記それぞれの第１の独立細線は前記対応する第１の欠落パターン部に対して１つの方向に位置する、請求項６から１０のいずれか一項に記載のタッチセンサ。
【請求項１２】
前記複数の独立細線は、前記第１の配置面に直角の前記方向から見て、前記第２の領域に位置する複数の第２の独立細線をさらに含み、
前記複数の第２の導電細線は、前記複数の第２のメッシュの複数の辺上に位置する複数の第３の端をそれぞれ有する複数の第３の導電細線と、前記複数の第２のメッシュの前記複数の辺上に位置する複数の第４の端をそれぞれ有する複数の第４の導電細線とを含み、
前記複数の第３の導電細線のうちの、前記複数の第２の独立細線のそれぞれの第２の独立細線に対応する第３の導電細線と、前記複数の第４の導電細線のうちの前記それぞれの第２の独立細線に対応する第４の導電細線とは前記複数の第２のメッシュのうちの対応する第２のメッシュを画定し、
前記複数の第２のメッシュの複数の辺は、前記複数の第３の導電細線の前記複数の第３の端から前記複数の第４の導電細線の前記複数の第４の端までそれぞれ結ぶ直線である複数の第２の欠落パターン部を含み、
前記複数の第２のメッシュの前記複数の辺のうちの前記対応する第２のメッシュの辺は、前記複数の第２の欠落パターン部のうちの対応する第２の欠落パターン部を含み、
前記対応する第２の欠落パターン部は、前記複数の第３の導電細線の前記複数の第３の端のうちの前記対応する第３の導電細線の対応する第３の端から前記複数の第４の導電細線の前記複数の第４の端のうちの前記対応する第４の導電細線の対応する第４の端まで結び、
前記それぞれの第２の独立細線は、前記対応する第２の欠落パターン部の近接した位置に配置されている、請求項６に記載のタッチセンサ。
【請求項１３】
前記第２の領域は第３の縁端線をさらに有し、
前記第１の配置面は、前記第２の領域の前記第３の縁端線に面する第２の分離部と、前記第２の分離部に面してかつ前記第２の分離部を介して前記第３の縁端線に対向する第４の縁端線を有する第３の領域とをさらに有し、
前記第２の分離部には前記複数の導電細線は配置されておらず、
前記複数のメッシュは、前記第３の領域に位置する複数の第４のメッシュと、前記第２の分離部に位置する複数の第５のメッシュとをさらに含み、
前記複数の導電細線は、前記複数の第４のメッシュを画定するように前記第３の領域に位置する複数の第５の導電細線をさらに含み、
前記複数の第５の導電細線は、前記第４の縁端線に位置する複数の第５の端をそれぞれ有する複数の第３の縁端細線を含み、
前記複数の第２の導電細線は、前記第３の縁端線に位置する複数の第６の端をそれぞれ有する複数の第４の縁端細線を含み、
前記複数の独立細線は複数の第３の独立細線をさらに含み、
前記複数の第３の縁端細線のうちの、前記複数の第３の独立細線のそれぞれの第３の独立細線に対応する第３の縁端細線と、前記複数の第４の縁端細線のうちの前記それぞれの第３の独立細線に対応する第４の縁端細線とは前記複数の第５のメッシュのうちの対応する第５のメッシュを画定し、
前記複数の第５のメッシュの複数の辺は、前記複数の第３の縁端細線の前記複数の第５の端から前記複数の第４の縁端細線の前記複数の第６の端までそれぞれ結ぶ直線である複数の第３の欠落パターン部を含み、
前記複数の第５のメッシュの前記複数の辺のうちの前記対応する第５のメッシュの辺は、前記複数の第３の欠落パターン部のうちの対応する第３の欠落パターン部を含み、
前記対応する第３の欠落パターン部は、前記複数の第３の縁端細線の前記複数の第５の端のうちの前記対応する第３の縁端細線の対応する第５の端から前記複数の第４の縁端細線の前記複数の第６の端のうちの前記対応する第４の縁端細線の対応する第６の端まで結び、
前記それぞれの第３の独立細線は、前記対応する第３の欠落パターン部の近接した位置に配置されている、請求項１２に記載のタッチセンサ。
【請求項１４】
前記複数の第２の縁端細線のいずれも前記複数の第４の縁端細線から絶縁されている、請求項１３に記載のタッチセンサ。
【請求項１５】
前記複数の独立細線は導電材料よりなる、請求項１に記載のタッチセンサ。
【請求項１６】
前記複数の独立細線は前記複数の導電細線と同じ材料で形成されている、請求項１５に記載のタッチセンサ。
【請求項１７】
前記複数の独立細線は前記第１の配置面内に設けられている、請求項１に記載のタッチセンサ。
【請求項１８】
前記基材部は前記第１の配置面と異なる第２の配置面を含み、
前記複数の独立細線は前記第２の配置面内に設けられている、請求項１に記載のタッチセンサ。
【請求項１９】
前記第１の配置面に直角の前記方向から見て、前記それぞれの第１の独立細線は前記対応する第１の欠落パターン部に重なる、請求項１８に記載のタッチセンサ。
【発明の詳細な説明】
【技術分野】
【０００１】
本発明は、各種電子機器の入力操作部などに用いられるタッチセンサに関する。
【背景技術】
【０００２】
各種電子機器は入力操作部を有する。入力操作部は、表示装置と、表示装置の前方に配置される静電容量式のタッチセンサとを有する。【０００３】
静電容量式のタッチセンサは、樹脂製の基材部と、基材部に配置されたセンサ電極とを有する。センサ電極は、ＩＴＯ製であることも多いが、近年ではネット形状に配置された金属等の導電材料よりなる導電細線により構成することも増えている。導電細線は例えば格子状に配置される。【０００４】
特許文献１に開示されている従来の静電容量式のタッチセンサでは、センサ電極がネット形状に配置された導電細線よりなり、センサ電極の外形形状は線状の分離部で画定されている。
【先行技術文献】
【特許文献】
【０００５】
【特許文献１】特開２００６−３４４１６３号公報
【発明の概要】
【０００６】
タッチセンサは、配置面を含む絶縁性の基材部と、基材部の配置面内に設けられた複数の導電細線と、基材部に当接してかつ複数の導電細線から絶縁された複数の独立細線とを備える。複数の独立細線は、複数の導電細線の欠落パターン部の近接した位置に配置されている。
【０００７】
このタッチセンサでは、分離部は視認されにくい。
【図面の簡単な説明】
【０００８】
【図１Ａ】図１Ａは実施の形態によるタッチセンサの平面図である。
【図１Ｂ】図１Ｂは図１Ａに示すタッチセンサの線１Ｂ−１Ｂにおける断面図である。
【図２】図２は図１Ａに示すタッチセンサの拡大図である。
【図３】図３は図１Ａに示すタッチセンサの拡大図である。
【図４Ａ】図４Ａは図３に示すタッチセンサの拡大図である。
【図４Ｂ】図４Ｂは図４Ａに示すタッチセンサの線４Ｂ−４Ｂにおける断面図である。
【図４Ｃ】図４Ｃは図４Ａに示すタッチセンサの拡大図である。
【図５Ａ】図５Ａは図３に示すタッチセンサの拡大図である。
【図５Ｂ】図５Ｂは図５Ａに示すタッチセンサの拡大図である。
【図６Ａ】図６Ａは図３に示すタッチセンサの拡大図である。
【図６Ｂ】図６Ｂは図６Ａに示すタッチセンサの拡大図である。
【図７Ａ】図７Ａは実施の形態による他のタッチセンサの平面図である。
【図７Ｂ】図７Ｂは図７Ａに示すタッチセンサの線７Ｂ−７Ｂにおける断面図である。
【発明を実施するための形態】
【０００９】
図１Ａは実施の形態によるタッチセンサ５０１の平面図である。図１Ｂは図１Ａに示すタッチセンサ５０１の線１Ｂ−１Ｂにおける断面図である。図２と図３は図１Ａに示すタッチセンサ５０１の拡大図である。
【００１０】
実施の形態によるタッチセンサ５０１は静電容量式のタッチセンサである。タッチセンサ５０１は、図１Ａに示すように、基材部１０とセンサ電極２０を有する。基材部１０は薄板形状を有するポリカーボネイト（ＰＣ）樹脂等の絶縁材料製である。センサ電極２０は基材部１０の表面１０Ａのみに配置されており、送信電極２２と受信電極２４とを含む。基材部１０の表面１０Ａはセンサ電極２０が設けられている配置面１０Ｐであり、センサ電極２０は配置面１０Ｐ内に設けられている。基材部１０の表面１０Ａの反対側の表面１０Ｂには電極は配置されていない。
【００１１】
図２は図１Ａに示す領域Ａ１の拡大図であり、センサ電極２０の外形を示す。送信電極２２と受信電極２４の外形は線状の分離部３０で画定されている。送信電極２２と受信電極２４は、配置面１０Ｐ内にネット形状を構成するように配置された複数の導電細線よりなる。図３は配置面１０Ｐ内に配置された導電細線１１をセンサ電極２０と共に示す。送信電極２２と受信電極２４との間には送信電極２２と受信電極２４とを互いに絶縁するダミーパターンが配置されている。送信電極２２は領域９０に配置されている。受信電極２４は領域４０に配置されている。送信電極２２の櫛歯部と受信電極２４の櫛歯部との間に配置されたダミーパターンは領域４０、９０の間の領域５０に配置されている。
【００１２】
図３に示すように、導電細線１１は、複数のメッシュ１９を有するネット状に配置されている。複数のメッシュ１９は互いに繋がっていて、領域４０に位置する複数のメッシュ４９と、領域５０に位置する複数のメッシュ５９と、分離部３０に位置する複数のメッシュ３９とを含む。複数の導電細線１１は、複数のメッシュ４９を画定するように領域４０に位置する複数の導電細線４１と、複数のメッシュ５９を画定するように領域５０に位置する複数の導電細線５１とを含む。領域４０では、導電細線４１（１１）が複数のメッシュ４９を有するネット状に配置されている。領域５０では、導電細線５１（１１）が複数のメッシュ５９を有するネット状に配置されている。導電細線１１の幅は例えば５μｍ以下であり、好ましくは２μｍ程度である。導電細線１１は銅などの金属等の導電材料で形成されている。実施の形態では、メッシュ１９はひし形状を有する。
【００１３】
領域４０、５０は分離部３０で互いに分離されており、領域５０、９０は分離部１００で互いに分離されている。分離部３０、１００は直線状に延びる。
【００１４】
図４Ａは図３に示すタッチセンサ５０１の拡大図であり、領域Ａ２を示す。配置面１０Ｐに直角の方向Ｄ１１（図１Ｂ参照）から見た平面視で、領域Ａ２における分離部３０の部分はＬ字形状を有する。領域４０は、分離部３０に面する縁端線３０Ａを有する。領域５０は、分離部３０に面してかつ分離部３０を介して縁端線３０Ａに対向する縁端線３０Ｂを有する。
【００１５】
分離部３０について、さらに説明する。領域４０、５０の間の分離部３０は、メッシュ５９のひし形状の辺５９Ａの一部であって導電細線１１が欠落している欠落パターン部４５を含む。つまり、欠落パターン部４５には導電細線１１は配置されていない。複数の欠落パターン部４５が分離部３０を構成するように平面視で直線状に並べて配置されている。
【００１６】
複数の導電細線４１は、縁端線３０Ａに位置する複数の端４３Ｐをそれぞれ有する複数の縁端細線４３を含む。複数の導電細線５１は、縁端線３０Ｂに位置する複数の端５３Ｐをそれぞれ有する複数の縁端細線５３を含む。領域４０には、メッシュ３９のひし形状の辺５９Ａの一部である導電細線４１（１１）の部分４７が配置されている。導電細線４１（１１）の部分４７は縁端線３０Ａ上の端４３Ｐを含む。領域５０には、メッシュ３９のひし形状の辺５９Ａの一部である導電細線５１（１１）の一部である部分５２が配置されている。導電細線５１（１１）の部分５２は縁端線３０Ｂ上の端５３Ｐを含む。メッシュ３９の辺３９Ａは、導電細線４１すなわち縁端細線４３の端４３Ｐから導電細線５１すなわち縁端細線５３の端５３Ｐまで結ぶ直線である欠落パターン部４５を含む。すなわち、対となる部分４７、５２は、対応する欠落パターン部４５を挟んで同一直線上に配置されて、欠落パターン部４５を含めてひし形状の一つの辺５９Ａを構成している。このように、分離部３０は、領域４０の分離部３０側の端４３Ｐと領域５０の分離部３０側の端５３Ｐの間に配置される導電細線１１を欠落させた欠落パターン部４５を含む。
【００１７】
欠落パターン部４５を介して配置されている部分４７、５２は直流的に繋がっていない。直流的に繋がっていない構成とするには、一つの辺５９Ａの中で例えば導電細線１１を部分的に取り除いて分断する、または、一つの辺５９Ａの中で導電細線１１を配置しない箇所を設ける。実施の形態では、メッシュ１９はひし形状の対向する内角ＡＧ１は６０°であり、他の対向する内角ＡＧ２は１２０°である。そのひし形状のより長い長手の対角線の長さＬ１９は２００μｍである。
【００１８】
なお、メッシュ５９の複数の辺５９Ａの交点に欠落パターン部４５を設けると、導電細線１１の存在しない範囲が大きく生じやすい。この場合、欠落パターン部４５が視認し易くなるので、交点すなわち辺５９Ａの両端を除く辺５９Ａ内の位置に欠落パターン部４５を設けることが望ましい。
【００１９】
図４Ａ中に示したように、分離部３０のＬ字形状の下方直線部は、紙面の左右方向に平行な方向Ｄ１０１に沿う直線形状を有する。つまり、下方直線部は、領域４０の端部位置に、同一の部分４７を配置し、かつ領域５０の端部位置に、同一の部分５２を配置することで設けられている。換言すればひし形状の長手の対角線に対する１つの垂線上に複数の欠落パターン部４５が直線上に配置されることで設けられている。なお、図４Ａ中の分離部３０のＬ字形状の左方直線部も、同様に、複数の欠落パターン部４５が紙面の上下方向に平行な方向Ｄ１０２に沿って直線上に配置することで形成される。
【００２０】
欠落パターン部４５の近傍には、対応する独立細線６０（１５）が配置されている。独立細線６０は、直線形状を有して導電細線１１の部分４７、５２と同じ導電細線から構成されている。つまり、独立細線６０は部分４７および部分５２と同じ材質よりなり同じ線幅を有する。
【００２１】
図４Ｂは図４Ａに示すタッチセンサ５０１の線４Ｂ−４Ｂにおける断面図である。図４Ｂに示すように、導電細線１１（４１）と独立細線１５（６０）は共に基材部１０の配置面１０Ｐである表面１０Ａ上に設けられている。
【００２２】
図４Ｃは図４Ａに示すタッチセンサ５０１の拡大図であり、欠落パターン部４５を示す。独立細線６０は、部分４７、５２から直流的に絶縁される位置に配置されている。すなわち、独立細線６０は、欠落パターン部４５を設けた辺の対となる部分４７、５２の間の直線からなる欠落パターン部４５に対して、近接する位置に平行関係で横にずらした位置に配置されている。独立細線６０は、欠落パターン部４５の中央位置４５Ｃを通る垂線４５Ｌ上に、独立細線６０の長さ方向での中央位置６０Ｃを合わせて配置することが望ましい。なお、独立細線６０は、図４Ａに示したように欠落パターン部４５から一定方向に平行関係でずらして配置してもよいし、部分４７、５２から直流的に絶縁状態であれば欠落パターン部４５上に配置されていてもよい。
【００２３】
独立細線６０は、導電細線１１が配置されていない欠落パターン部４５の面積のタッチパネル５０１全体の面積に対する比である面積率を補い、かつ回折を考慮して長さおよび設置位置を設定する。例えば欠落パターン部４５の長さＬ４５が１０μｍである場合、１１μｍ程度である長さＬ６０の独立細線６０を、欠落パターン部４５から欠落パターン部４５の長さＬ４５程度の距離Ｍ４５（１０μｍ程度）離して平行関係に配置する。
【００２４】
欠落パターン部４５は長さＬ４５を有する。独立細線６０（１５）は長さＬ６０を有する。独立細線６０（１５）は、導電細線１１の縁端細線４３、５３の端４３Ｐ、５３Ｐから距離Ｍ４３、Ｍ５３だけ離れている。独立細線６０の中央位置６０Ｃは、欠落パターン部４５の中央位置４５Ｃを通る欠落パターン部４５の垂線４５Ｌ上に位置する。
【００２５】
なお、分離部３０において、部分４７、５２の間の電気的な絶縁状態を確保するには、欠落パターン部４５は５μｍ以上の長さＬ４５を有することが望ましい。長さＬ４５は余裕を考慮して１０μｍ程度に設定することがより望ましい。独立細線６０は、導電細線１１の部分４７、５２すなわち端４３Ｐ、５３Ｐから５μｍ以上の距離Ｍ４３、Ｍ５３でそれぞれ離れた位置に配置すると望ましいが、１０μｍ程度の距離Ｍ４３、Ｍ５３でそれぞれ離れた位置に配置するとより望ましい。このように、方向Ｄ１１（図１Ｂ参照）から見て、距離Ｍ４３、Ｍ５３は欠落パターン部４５の長さＬ４５以下であることが望ましい。図４Ｂに示すように、基材部１０の表面１０Ａに溝１０Ｇを形成し、溝１０Ｇの内部に導電材料を入れて導電細線１１と独立細線１５とを形成する。溝１０Ｇに部分４７、５２と独立細線６０とが配置される。すなわち、上記三者をそれぞれ溝１０Ｇ内に配置する構成とすると、溝１０Ｇ同士の間に、基材部１０の表面１０Ａまでの仕切り部１０Ｈが基材部１０を形成する樹脂で形成されて配置されるので望ましい。
【００２６】
欠落パターン部４５から離れた位置に独立細線６０を配置する場合では、回折を考慮して、独立細線６０の長さＬ６０を欠落パターン部４５の長さＬ４５よりも若干長い寸法で設定すると望ましい。
【００２７】
上述したように、分離部３０は、欠落パターン部４５と、欠落パターン部４５に応じて配置した独立細線６０を含む。この構成であれば、欠落パターン部４５毎に独立細線６０を対応して配置しているため、複数の欠落パターン部４５が直線状に配置されていても、タッチセンサ５０１の視認時に、直線的に並ぶ複数の欠落パターン部４５からなる縁端線３０Ａ、３０Ｂつまり分離部３０の視認が抑制される。なお、独立細線６０を欠落パターン部４５に対して同じ１つの方向Ｄ１０１に同じ距離Ｍ６０ずらして配置したことも分離部３０の視認状態の抑制に寄与する。
【００２８】
特許文献１に開示されている従来の静電容量式のタッチセンサでは、センサ電極がネット形状に配置された導電細線よりなる場合、センサ電極の外形形状を線状の分離部で画定する。分離部は、導電細線を部分的に欠落させた欠落パターン部が平面視で例えば直線状に配置されて構成される。直線状の分離部を設計することは容易であるが、この場合、分離部が視認され易くなり、表示装置の表示画面のタッチセンサを介しての視認性を損なう可能性がある。
【００２９】
実施の形態におけるタッチセンサ５０１では、平面視で欠落パターン部４５を直線的に並べて配置した縁端線３０Ａ、３０Ｂを含む分離部３０を有するが、独立細線６０を配置することで分離部３０の視認を抑制できる。このため、表示装置の表示画面の前方にタッチセンサ５０１を配置した場合、表示画面の視認性を損なう可能性も低減する。
【００３０】
なお、上記では直線状に欠落パターン部４５が配置されているが、分離部３０の縁端線３０Ａ、３０Ｂは平面視で直線のみに限定されることはなく、曲線であってもよい。
【００３１】
次に領域５０について説明する。領域５０ではダミーパターンが配置されている。ダミーパターンの基となるメッシュ５９は、領域４０と同じひし形状を有し、ダミーパターンは、上述した欠落パターン部４５および独立細線６０をひし形状の４つの辺５９Ａそれぞれの中央位置に位置する。
【００３２】
上述のように、タッチセンサ５０１は、配置面１０Ｐを含む絶縁性の基材部１０と、基材部１０の配置面１０Ｐ内に設けられた複数の導電細線１１と、基材部１０に当接してかつ複数の導電細線１１から絶縁された複数の独立細線１５とを備える。複数の導電細線１１は、配置面１０Ｐ内に互いに繋がる複数のメッシュ１９を有するネット形状を構成するように設けられている。配置面１０Ｐは、複数の導電細線１１が配置されていない分離部３０と、分離部３０に面する縁端線３０Ａを有する領域４０と、分離部３０に面してかつ分離部３０を介して縁端線３０Ａに対向する縁端線３０Ｂを有する領域５０とを有する。複数のメッシュ１９は、領域４０に位置する複数のメッシュ４９と、領域５０に位置する複数のメッシュ５９と、分離部３０に位置する複数のメッシュ３９とを含む。複数の導電細線１１は、複数のメッシュ４９を画定するように領域４０に位置する複数の導電細線４１と、複数のメッシュ５９を画定するように領域５０に位置する複数の導電細線５１とを含む。複数の導電細線４１は、縁端線３０Ａに位置する複数の端４３Ｐをそれぞれ有する複数の縁端細線４３を含む。複数の導電細線５１は、縁端線３０Ｂに位置する複数の端５３Ｐをそれぞれ有する複数の縁端細線５３を含む。複数の独立細線１５は複数の独立細線６０を含む。複数の縁端細線４３のうちの、複数の独立細線６０のそれぞれの独立細線６０に対応する縁端細線４３と、複数の縁端細線５３のうちの上記それぞれの独立細線６０に対応する縁端細線５３とは複数のメッシュ３９のうちの対応するメッシュ３９を画定する。複数のメッシュ３９の複数の辺３９Ａは、複数の縁端細線４３の複数の端４３Ｐから複数の縁端細線５３の複数の端５３Ｐまでそれぞれ結ぶ直線である複数の欠落パターン部４５を含む。複数のメッシュ３９の複数の辺３９Ａのうちの上記対応するメッシュ３９の辺３９Ａは複数の欠落パターン部４５のうちの対応する欠落パターン部４５を含む。上記対応する欠落パターン部４５は、複数の縁端細線４３の複数の端４３Ｐのうちの上記対応する縁端細線４３の対応する端４３Ｐから複数の縁端細線５３の複数の端５３Ｐのうちの上記対応する縁端細線５３の対応する端５３Ｐまで結ぶ。上記それぞれの独立細線６０は、上記対応する欠落パターン部４５に近接した位置に配置されている。上記それぞれの独立細線６０は、複数の欠落パターン部４５のうちの上記対応する欠落パターン部４５に最も近くに配置されている。また、上記それぞれの独立細線６０は、複数の導電細線１１のうちの上記対応する縁端細線４３、５３のうちの一方に最も近く配置され、他方に２番目に近く配置されている。
【００３３】
上記それぞれの独立細線６０は上記対応する欠落パターン部４５に近接して上記対応する欠落パターン部４５に平行に延びる。
【００３４】
上記対応するメッシュ３９の辺３９Ａと上記それぞれの独立細線６０とは直線状に延びている。
【００３５】
上記それぞれの独立細線６０の中央位置６０Ｃは、上記対応する欠落パターン部４５の中央位置４５Ｃを通る上記対応する欠落パターン部４５の垂線４５Ｌ上に位置する。
【００３６】
上記それぞれの独立細線６０は上記対応する欠落パターン部４５よりも長い。
【００３７】
上記それぞれの独立細線６０は上記対応する欠落パターン部４５に対して１つの方向Ｄ１０１に位置する。
【００３８】
図５Ａは図３に示すタッチセンサ５０１の拡大図であり、領域５０内の領域Ａ３を示す。図５Ｂは図５Ａに示すタッチセンサ５０１の拡大図である。図５Ａに示すように、領域５０において、ひし形状の一つの辺５９Ａは、導電細線よりなる２つの部分７１と欠落パターン部７３とを含む。欠落パターン部７３は辺５９Ａを構成する２つの部分７１の間の導電細線を分断した、もしくは導電細線を配置していない箇所である。欠落パターン部７３は辺５９Ａの中央位置に配置されているので、１つの辺５９Ａを構成する２つの部分７１同士は、ほぼ同じ長さを有する。
【００３９】
領域５０において、複数の欠落パターン部７３が、方向Ｄ１０１に延びる直線上に並ぶように配置され、方向Ｄ１０１に直交する方向Ｄ１０２に延びる直線上に並ぶように配置されている。すなわち、複数の欠落パターン部７３は規則的な長方形の格子状のマトリクス形状に配置されている。これによって、領域５０では、メッシュ５９のひし形状の辺５９Ａの交点に繋がる４つの部分７１でそれぞれ構成される複数のＸ字形状を有するパターンが配置されている。換言すれば、領域５０には、１つのメッシュ５９のひし形状の全ての辺５９Ａに欠落パターン部７３を設けることで形成された複数のＸ字状パターンが規則的に配置されている。このように導電細線５１で閉塞される箇所を有しないパターンを規則的に配置した構成であれば、操作時等での領域５０内の静電容量の増加を低減でき、センサ電極２０の感度の向上が図りやすい。
【００４０】
上述構成と同様に、直線形状の独立細線８０が欠落パターン部７３毎に対応して配置されている。簡単に説明すると、独立細線８０は、部分７１と同じ導電細線製で、辺５９Ａ内で対応する２つの部分７１から直流的に絶縁されて配置されている。図５Ａでは、直線形状の独立細線８０を、対応する欠落パターン部７３に近接した位置で、かつ平行関係に配置している。なお、独立細線８０は、独立細線６０と同様に、欠落パターン部７３の中央位置を通る垂線上に、長さ方向での中央位置を合わせて配置している。さらに、複数の独立細線８０が同じ方向に同じ寸法でずらした位置に配置している。なお、独立細線８０は、部分７１から直流的に絶縁されていれば、欠落パターン部７３上に配置されていてもよい。
【００４１】
以上の説明のように、領域５０のダミーパターンは、部分７１を含むＸ字形状パターンと、欠落パターン部７３毎に対応して配置した独立細線８０とを含む。
【００４２】
より具体的に説明すると、領域５０では、例えばメッシュ５９のひし形状の１つの辺５９Ａの中央位置に、長さＬ７３が１０μｍである欠落パターン部７３が設けられていろ、１１μｍの長さＬ８０を有する独立細線８０が欠落パターン部７３から紙面の右方向に１０μｍの距離だけ離して配置されている。つまり、領域５０は、分離部３０の視認状態と略同等な視認状態になるように、分離部３０と略同等の構成を有する。
【００４３】
以上に説明したように、領域５０では、複数の欠落パターン部７３をマトリクス状に配置し、欠落パターン部７３毎に独立細線８０を対応させて配置している。このため、上述の分離線と同様に、複数の欠落パターン部７３が直線状で並ぶ配置であっても、それらを視認されることが抑制できる。このため、タッチセンサ５０１を表示装置の表示画面の前方に配置した場合、表示画面の視認性を損なう可能性も低減する。
【００４４】
なお、上記では、領域５０のダミーパターンとして、欠落パターン部７３をマトリクス状に配置することで得られるＸ字状パターンと、欠落パターン部７３に対応して配置した独立細線８０とを含む。欠落パターン部７３の配置状態によってＸ字状パターンは異なる外形を有する場合がある。この場合においても、ダミーパターンが欠落パターン部７３毎に配置した独立細線８０を含むことで、複数の欠落パターン部７３が直線状で並んでいても、それらを視認されることが抑制できる。
【００４５】
なお、部分７１と独立細線８０は、上述した分離部３０の場合と同様に、基材部１０の表面１０Ａに形成した溝１０Ｇ内に配置した構成にすると望ましい。
【００４６】
複数の独立細線１５は、配置面１０Ｐに直角の方向Ｄ１１から見て、領域５０に位置する複数の独立細線８０をさらに含む。複数の導電細線５１は、複数のメッシュ５９の複数の辺５９Ａ上に位置する複数の端７４Ｐをそれぞれ有する複数の導電細線７４と、複数のメッシュ５９の複数の辺５９Ａ上に位置する複数の端７５Ｐをそれぞれ有する複数の導電細線７５とを含む。複数の導電細線７４のうちの、複数の独立細線８０のそれぞれの独立細線８０に対応する導電細線７４と、複数の導電細線７５のうちの上記それぞれの独立細線８０に対応する導電細線７５は、複数のメッシュ５９のうちの対応するメッシュ５９を画定する。複数のメッシュ５９の複数の辺５９Ａは、複数の導電細線７４の複数の端７４Ｐから複数の導電細線７５の複数の端７５Ｐまでそれぞれ結ぶ直線である複数の欠落パターン部７３を含む。複数のメッシュ５９の複数の辺５９Ａのうちの上記対応するメッシュ５９の辺５９Ａは、複数の欠落パターン部７３のうちの対応する欠落パターン部７３を含む。上記対応する欠落パターン部７３は、複数の導電細線７４の複数の端７４Ｐのうちの上記対応する導電細線７４の対応する端７４Ｐから複数の導電細線７５の複数の端７５Ｐのうちの上記対応する導電細線７５の対応する端７５Ｐまで結ぶ。上記それぞれの独立細線８０は、上記対応する欠落パターン部７３の近接した位置に配置されている。上記それぞれの独立細線８０は、複数の欠落パターン部７３のうちの上記対応する欠落パターン部７３の最も近くに配置されている。また、上記それぞれの独立細線８０は、複数の導電細線１１のうちの上記対応する導電細線７４、７５のうちの一方に最も近く配置され他方に２番目に近く配置されている。
【００４７】
上記それぞれの独立細線８０は上記対応する欠落パターン部７３に近接して上記対応する欠落パターン部７３に平行に延びる。
【００４８】
上記対応するメッシュ５９の辺５９Ａと上記それぞれの独立細線８０とは直線状に延びている。
【００４９】
上記それぞれの独立細線８０の中央位置８０Ｃは、上記対応する欠落パターン部７３の中央位置７３Ｃを通る上記対応する欠落パターン部７３の垂線７３Ｌ上に位置する。
【００５０】
上記それぞれの独立細線８０は上記対応する欠落パターン部７３よりも長い。
【００５１】
上記それぞれの独立細線８０は上記対応する欠落パターン部７３に対して１つの方向Ｄ１０１に位置する。
【００５２】
独立細線８０は、導電細線７４、７５から直流的に絶縁される位置に配置されている。すなわち、独立細線８０は、欠落パターン部７３を設けた辺の対となる導電細線７４、７５の間の直線からなる欠落パターン部７３に対して、近接する位置に平行関係で横にずらした位置に配置されている。独立細線８０は、欠落パターン部７３の中央位置７３Ｃを通る垂線７３Ｌ上に、独立細線８０の長さ方向での中央位置８０Ｃを合わせて配置することが望ましい。なお、独立細線８０は、図５Ａに示したように欠落パターン部７３から一定方向に平行関係でずらして配置してもよいし、導電細線７４、７５から直流的に絶縁状態であれば欠落パターン部７３上に配置されていてもよい。
【００５３】
独立細線８０は、導電細線１１が配置されていない欠落パターン部７３の面積のタッチパネル５０１全体の面積に対する比である面積率を補い、かつ回折を考慮して長さおよび設置位置を設定する。例えば欠落パターン部７３の長さＬ７３が１０μｍである場合、１１μｍ程度である長さＬ８０の独立細線８０を、欠落パターン部７３から欠落パターン部７３の長さＬ７３程度の距離Ｍ７３（１０μｍ程度）離して平行関係に配置する。
【００５４】
欠落パターン部７３は長さＬ７３を有する。独立細線８０（１５）は長さＬ８０を有する。独立細線８０（１５）は、導電細線７４、７５の端７４Ｐ、７５Ｐから距離Ｍ７４、Ｍ７５だけそれぞれ離れている。独立細線８０の中央位置８０Ｃは、欠落パターン部７３の中央位置７３Ｃを通る欠落パターン部７３の垂線７３Ｌ上に位置する。
【００５５】
なお、導電細線７４、７５の間の電気的な絶縁状態を確保するには、欠落パターン部７３は５μｍ以上の長さＬ７３を有することが望ましい。長さＬ７３は余裕を考慮して１０μｍ程度に設定することがより望ましい。独立細線８０は、導電細線７４、７５の端７４Ｐ、７５Ｐから５μｍ以上の距離Ｍ７４、Ｍ７５でそれぞれ離れた位置に配置すると望ましいが、１０μｍ程度の距離Ｍ７４、Ｍ７５でそれぞれ離れた位置に配置するとより望ましい。このように、方向Ｄ１１（図１Ｂ参照）から見て、距離Ｍ７４、Ｍ７５は欠落パターン部７３の長さＬ７３以下であることが望ましい。なお、さらに望ましくは、図４Ｂに示すように、基材部１０の表面１０Ａに溝１０Ｇを形成し、溝１０Ｇの内部に導電細線７４、７５と独立細線８０とを配置する構成とする。すなわち、上記三者をそれぞれ溝１０Ｇ内に配置する構成とすると、溝１０Ｇ同士の間に、基材部１０の表面までの仕切り部１０Ｈが基材部１０を形成する樹脂で形成されて配置されるので望ましい。
【００５６】
欠落パターン部７３から離れた位置に独立細線８０を配置する場合では、回折を考慮して、独立細線８０の長さＬ８０を欠落パターン部７３の長さＬ７３よりも若干長い寸法で設定すると望ましい。
【００５７】
図６Ａは図３に示すタッチセンサ５０１の拡大図であり、領域Ａ４を示す。図６Ｂは図６Ａに示すタッチセンサ５０１の拡大図である。
【００５８】
領域５０は縁端線１００Ｂをさらに有する。配置面１０Ｐは、領域５０の縁端線１００Ｂに面する分離部１００と、分離部１００に面してかつ分離部１００を介して縁端線１００Ｂに対向する縁端線１００Ａを有する領域９０とをさらに有する。分離部１００には複数の導電細線１１は配置されていない。複数のメッシュ１９は、領域９０に位置する複数のメッシュ９９と、分離部１００に位置する複数のメッシュ１０９とをさらに含む。複数の導電細線１１は、複数のメッシュ９９を画定するように領域９０に位置する複数の導電細線９１をさらに含む。複数の導電細線９１は、縁端線１００Ａに位置する複数の端９３Ｐをそれぞれ有する複数の縁端細線９３を含む。複数の導電細線５１は、縁端線１００Ｂに位置する複数の端１１３Ｐをそれぞれ有する複数の縁端細線１１３を含む。複数の独立細線１５は複数の独立細線８５をさらに含む。複数の縁端細線９３のうちの、複数の独立細線８５のそれぞれの独立細線８５に対応する縁端細線９３と、複数の縁端細線１１３のうちの上記それぞれの独立細線８５に対応する縁端細線１１３とは複数のメッシュ１０９のうちの対応するメッシュ１０９を画定する。複数のメッシュ１０９の複数の辺１０９Ａは、複数の縁端細線９３の複数の端９３Ｐから複数の縁端細線１１３の複数の端１１３Ｐまでそれぞれ結ぶ直線である複数の欠落パターン部１１５を含む。複数のメッシュ１０９の複数の辺１０９Ａのうちの上記対応するメッシュ１０９の辺１０９Ａは、複数の欠落パターン部１１５のうちの対応する欠落パターン部１１５を含む。上記対応する欠落パターン部１１５は、複数の縁端細線９３の複数の端９３Ｐのうちの上記対応する縁端細線９３の対応する端９３Ｐから複数の縁端細線１１３の複数の端１１３Ｐのうちの上記対応する縁端細線１１３の対応する端１１３Ｐまで結ぶ。上記それぞれの独立細線８５は、上記対応する欠落パターン部１１５の近接した位置に配置されている。上記それぞれの独立細線８５は、複数の欠落パターン部１１５のうちの上記対応する欠落パターン部１１５の最も近くに配置されている。また、上記それぞれの独立細線８５は、複数の導電細線１１のうちの上記対応する縁端細線９３、１１３のうちの一方に最も近く配置され他方に２番目に近く配置されている。
【００５９】
複数の縁端細線９３のいずれも複数の縁端細線１１３から絶縁されている。
【００６０】
上記それぞれの独立細線８５は上記対応する欠落パターン部１１５に近接して上記対応する欠落パターン部１１５に平行に延びる。
【００６１】
上記対応するメッシュ１０９の辺１０９Ａと上記それぞれの独立細線８５とは直線状に延びている。
【００６２】
上記それぞれの独立細線８５の中央位置８５Ｃは、上記対応する欠落パターン部１１５の中央位置１１５Ｃを通る上記対応する欠落パターン部１１５の垂線１１５Ｌ上に位置する。
【００６３】
上記それぞれの独立細線８５は上記対応する欠落パターン部１１５よりも長い。
【００６４】
上記それぞれの独立細線８５は上記対応する欠落パターン部１１５に対して１つの方向Ｄ１０１に位置する。
【００６５】
独立細線８５は、縁端細線９３、１１３から直流的に絶縁される位置に配置されている。すなわち、独立細線８５は、欠落パターン部１１５を設けた辺の対となる縁端細線９３、１１３の間の直線からなる欠落パターン部１１５に対して、近接する位置に平行関係で横にずらした位置に配置されている。独立細線８５は、欠落パターン部１１５の中央位置１１５Ｃを通る垂線１１５Ｌ上に、独立細線８５の長さ方向での中央位置８５Ｃを合わせて配置することが望ましい。なお、独立細線８５は、図６Ａに示したように欠落パターン部１１５から一定方向に平行関係でずらして配置してもよいし、縁端細線９３、１１３から直流的に絶縁状態であれば欠落パターン部１１５上に配置されていてもよい。
【００６６】
独立細線８５は、導電細線１１が配置されていない欠落パターン部１１５の面積のタッチパネル５０１全体の面積に対する比である面積率を補い、かつ回折を考慮して長さおよび設置位置を設定する。例えば欠落パターン部１１５の長さＬ１１５が１０μｍである場合、１１μｍ程度である長さＬ８５の独立細線８５を、欠落パターン部１１５から欠落パターン部１１５の長さＬ１１５程度の距離Ｍ１１５（１０μｍ程度）離して平行関係に配置する。
【００６７】
欠落パターン部１１５は長さＬ１１５を有する。独立細線８５（１５）は長さＬ８５を有する。独立細線８５（１５）は、導電細線１１の縁端細線９３、１１３の端９３Ｐ、１１３Ｐから距離Ｍ９３、Ｍ１１３だけ離れている。独立細線８５の中央位置８５Ｃは、欠落パターン部１１５の中央位置１１５Ｃを通る欠落パターン部１１５の垂線１１５Ｌ上に位置する。
【００６８】
なお、分離部１００において、縁端細線９３、１１３の間の電気的な絶縁状態を確保するには、欠落パターン部１１５は５μｍ以上の長さＬ１１５を有することが望ましい。長さＬ１１５は余裕を考慮して１０μｍ程度に設定することがより望ましい。独立細線８５は、導電細線１１の縁端細線９３、１１３の端９３Ｐ、１１３Ｐから５μｍ以上の距離Ｍ９３、Ｍ１１３でそれぞれ離れた位置に配置すると望ましいが、１０μｍ程度の距離Ｍ９３、Ｍ１１３でそれぞれ離れた位置に配置するとより望ましい。このように、方向Ｄ１１（図１Ｂ参照）から見て、距離Ｍ９３、Ｍ１１３は欠落パターン部１１５の長さＬ１１５以下であることが望ましい。なお、さらに望ましくは、図４Ｂに示すように、基材部１０の表面１０Ａに溝を形成し、溝１０Ａの内部に縁端細線９３、１１３と独立細線８５とを配置する構成とする。すなわち、上記三者をそれぞれ溝１０Ｇ内に配置する構成とすると、溝１０Ｇ同士の間に、基材部１０の表面１０Ａまでの仕切り部１０Ｈが基材部１０を形成する樹脂で形成されて配置されるので望ましい。
【００６９】
欠落パターン部１１５から離れた位置に独立細線８５を配置する場合では、回折を考慮して、独立細線８５の長さＬ８５を欠落パターン部１１５の長さＬ１１５よりも若干長い寸法で設定すると望ましい。
【００７０】
なお、以上ではメッシュ１９はひし形状を有する。ひし形状の内角は上記以外であってもよい。また、メッシュ１９は矩形状や、四角形状以外の多角形状を有していてもよい。さらにはメッシュ１９は複数の形状を組み合わせて得られた形状を有していてもよい。
【００７１】
タッチセンサ５０１の詳細構成も上記のみの構成には限定されない。例えば基材部１０の表面１０Ａに送信電極２２を配置し、同じ基材部の表面１０Ｂに受信電極２４を配置した構成としたり、送信電極２２を有する基材部と受信電極２４を有する別の基材部を貼り合せてもよい。
【００７２】
図７Ａは実施の形態による他のタッチセンサ５０２の平面図である。図７Ｂは図７Ａに示すタッチセンサ５０２の線７Ｂ−７Ｂにおける断面図である。図７Ａと図７Ｂにおいて、図１Ａから図６Ｂに示すタッチセンサ５０１と同じ部分には同じ参照番号を付す。タッチセンサ５０２は絶縁性の基材部１０の代わりに絶縁性の基材部２１０を備える。基材部２１０は基材部１０と同じ材料よりなり、互いに反対の表面２１０ＡＡ、２１０ＡＢを有する層２１０Ａと、互いに反対の面２１０ＢＡ、２１０ＢＢを有する層２１０Ｂとを有する。層２１０Ａの表面２１０ＡＢは層２１０Ｂの表面２１０ＢＡに設けられている。層２１０Ｂの表面２１０ＢＡは、導電細線１１が配置される配置面１０Ｐとして機能する。層２１０Ａの表面２１０ＡＡは、独立細線１５が配置される配置面１０Ｑとして機能する。配置面１０Ｑは配置面１０Ｐに平行である。
【００７３】
基材部２１０は配置面１０Ｐと異なる配置面１０Ｑを含む。複数の独立細線１５は配置面１０Ｑ内に設けられている。
【００７４】
配置面１０Ｐに直角の方向Ｄ１１から見て、複数の縁端細線４３と複数の縁端細線５３と複数の独立細線１５とは複数のメッシュ３９を画定する。
【００７５】
配置面１０Ｐに直角の方向Ｄ１１から見て、上記それぞれの独立細線６０は上記対応する欠落パターン部４５に重なる。すなわち、上記それぞれの独立細線１５は上記対応する欠落パターン部４５に対して同じ１つの方向Ｄ１１の反対方向に同じ距離Ｍ１１５ずらして配置している。この構成により、欠落パターン部４５や分離部３０はより視認しにくくなる。
【００７６】
なお、タッチセンサ５０２においても、上記それぞれの独立細線１５は配置面１０Ｑ内で上記対応する欠落パターン部４５に対して同じ１つの方向Ｄ１０１方向に同じ距離ずらして配置してもよい。
【符号の説明】
【００７７】
１０    基材部
１１    導電細線
１５    独立細線
１９    メッシュ
２０    センサ電極
２２    送信電極
２４    受信電極
３０    分離部（第１の分離部）
３０Ａ    縁端線（第１の縁端線）
３０Ｂ    縁端線（第２の縁端線）
３９    メッシュ（第３のメッシュ）
４０    領域（第１の領域）
４１    導電細線（第１の導電細線）
４３    縁端細線（第１の縁端細線）
４５    欠落パターン部（第１の欠落パターン部）
４９    メッシュ（第１のメッシュ）
５０    領域（第２の領域）
５１    導電細線（第２の導電細線）
５３    縁端細線（第２の縁端細線）
５９    メッシュ（第２のメッシュ）
６０    独立細線（第１の独立細線）
７３    欠落パターン部（第２の欠落パターン部）
７４    導電細線（第３の導電細線）
７５    導電細線（第４の導電細線）
８０    独立細線（第２の独立細線）
８５    独立細線（第３の独立細線）
９０    領域（第３の領域）
９１    導電細線（第５の導電細線）
９３    縁端細線（第３の縁端細線）
９９    メッシュ（第４のメッシュ）
１００    分離部（第２の分離部）
１００Ａ    縁端線（第４の縁端線）
１００Ｂ    縁端線（第３の縁端線）
１０９    メッシュ（第５のメッシュ）
１１３    縁端細線（第４の縁端細線）
１１５    欠落パターン部（第３の欠落パターン部）
５０１，５０２    タッチセンサ
【図１Ａ】
2018193891.tif 000003
【図１Ｂ】
2018193891.tif 000004
【図２】
2018193891.tif 000005
【図３】
2018193891.tif 000006
【図４Ａ】
2018193891.tif 000007
【図４Ｂ】
2018193891.tif 000008
【図４Ｃ】
2018193891.tif 000009
【図５Ａ】
2018193891.tif 000010
【図５Ｂ】
2018193891.tif 000011
【図６Ａ】
2018193891.tif 000012
【図６Ｂ】
2018193891.tif 000013
【図７Ａ】
2018193891.tif 000014
【図７Ｂ】
2018193891.tif 000015
【国際調査報告】
2018193891.tif 000016
2018193891.tif 000017
2018193891.tif 000018
2018193891.tif 000019